(57)【特許請求の範囲】
【請求項１】
表示枠内の局的な領域に形成されて所定のパターンを表示する表示領域と、
前記表示領域を囲む非表示領域とを備え、
前記所定のパターンの輪郭を除いた主領域に一般色覚者用の基本色の光を射出する基本発光デバイスを配置し、前記所定のパターンの輪郭領域に色覚特異者が認識可能な追加色の光を射出する追加発光デバイスを配置し、
前記非表示領域に光吸収体を配置した、信号用の表示装置。
【請求項２】
前記輪郭領域は、実質的に切れ目のない帯状領域となっており、当該帯状領域の幅は、前記主領域が最も細くなる部分よりも細くなっている、請求項１に記載の信号用の表示装置。
【請求項３】
前記基本色と前記追加色とは、同系色である、請求項１及び２のいずれか一項に記載の信号用の表示装置。
【請求項４】
前記基本発光デバイス及び前記追加発光デバイスは、固体発光素子であり、少なくとも前記基本発光デバイスは、２次元的に配列されている、請求項１〜３のいずれか一項に記載の信号用の表示装置。
【請求項５】
前記表示領域は、歩行者用信号機に設けられている、請求項１〜４のいずれか一項に記載の信号用の表示装置。
【請求項６】
前記表示領域は、交通信号機に付随する情報表示機に設けられている、請求項１〜４のいずれか一項に記載の信号用の表示装置。
【発明の詳細な説明】
【技術分野】
【０００１】
本発明は、交通信号機に組み込まれる交通信号灯器等として用いられる表示装置に関する。
【背景技術】
【０００２】
車両用信号灯器として、例えば青色の灯器において、青色発光ダイオードと緑色発光ダイオードとを交互に均等に配列したものや、灯器の中央領域で青色発光ダイオードのみを配列し、その周囲の外側領域で青色発光ダイオードと緑色発光ダイオードとを交互に均等に配列したものが公知となっている（特許文献１参照）。
【０００３】
しかしながら、青色の灯器において青色発光及び緑色発光のダイオードを交互に均等に配列した例は、特定の意味を持たせたパターンを表示するものでなく、また、２色のダイオードの密度をバランスさせているので組み合わせるべき一対の色に制限が生じやすい。また、青色の灯器において中央領域及び外側領域でダイオードの色パターンを変更する例では、一般色覚者（すなわち色覚健常者）と、色覚特異者（すなわち色弱者）とで認識するパターンが大きく異なるものとなり、好ましくない場合も生じ得る。
【先行技術文献】
【特許文献】
【０００４】
【特許文献１】特開平９−２７１２９８号公報
【発明の概要】
【発明が解決しようとする課題】
【０００５】
本発明は上記した点に鑑みてなされたものであり、色の選択に関する自由度を高めつつ特定の意味を持たせたパターンを表示可能であり、一般色覚者と色覚特異者とが実質的に同一のパターンを認識できる信号用の表示装置を提供することを目的とする。
【課題を解決するための手段】
【０００６】
上記目的を達成するための信号用の表示装置は、所定のパターンを表示する表示領域を備え、所定のパターンの輪郭を除いた主領域に一般色覚者用の基本色の光を射出する基本発光デバイスを配置し、所定のパターンの輪郭領域に色覚特異者が認識可能な追加色の光を射出する追加発光デバイスを配置している。
【０００７】
上記表示装置によれば、色覚特異者に認識可能な追加発光デバイスを所定のパターンの輪郭領域に配置しているので、一般色覚者は、表示領域に表示された輪郭を含む所定のパターンを信号として認識することができる。また、一般色覚者は、所定のパターンの輪郭領域を所定のパターンと等価又は実質的に同一の信号として認識することができる。
【０００８】
本発明の具体的な側面では、輪郭領域は、実質的に切れ目のない帯状領域となっており、当該帯状領域の幅は、主領域が最も細くなる部分よりも細くなっている。この場合、一般色覚者にとってより違和感の少ないパターン認識が可能になる。
【０００９】
本発明の別の側面では、基本色と追加色とは、同系色である。ここで、同系色とは、例えばＨＳＶ（Hue、Saturation Chroma、Value Lightness Brightness）色空間で９０°以下の色相差となっているような場合を意味する。基本色と追加色とを同系色とすることで、一般色覚者に、表示領域に表示された所定のパターンを本来の色の信号と認識させることが容易になり、信号の誤認を確実に回避することができる。
【００１０】
本発明のさらに別の側面では、基本発光デバイス及び追加発光デバイスは、固体発光素子であり、少なくとも基本発光デバイスは、２次元的に配列されている。固体発光素子は、一般に発光ピークの半値幅が狭くなる傾向があるが、上記のように基本色と追加色とを併用することで、一般色覚者にとって違和感がなく色覚特異者にとって認識が容易な信号用の表示装置を提供することができる。
【００１１】
本発明のさらに別の側面では、表示領域は、表示枠内の局所的な領域に形成されている。ここで、表示枠内の表示領域を除いた非表示領域については、射出光の少ない黒っぽいものとすることで所定のパターンを目立たせることができる。
【００１２】
本発明のさらに別の側面では、表示領域は、歩行者用信号機に設けられている。この場合、一般色覚者だけでなく色覚特異者の往来の安全を図ることがでできる。
【００１３】
本発明のさらに別の側面では、表示領域は、交通信号機に付随する情報表示装置に設けられている。この場合、一般色覚者や色覚特異者に交通情報その他の多様な情報を提供することができる。
【図面の簡単な説明】
【００１４】
【図１】信号用の表示装置を説明する図である。
【図２】図１の表示装置を組み込んだ信号制御システムを説明する図である。
【図３】（Ａ）は、表示装置の表示領域における発光デバイスの一配置例を説明する図であり、（Ｂ）は、発光デバイスの別の配置例を説明する図である。
【図４】発光デバイスの発光特性等を説明する図である。
【図５】発光デバイスの断面構造を説明する概念図である。
【図６】変形例の信号制御システムを説明する図である。
【発明を実施するための形態】
【００１５】
以下、図面を参照しつつ、本発明の一実施形態である信号用の表示装置について詳細に説明する。
【００１６】
図１に例示する信号用の表示装置１０は、外観上、赤色の第１灯１１と、青色の第２灯１２と、カバー１４と、フード１９とを備える。
【００１７】
第１灯１１は、進行不可信号であり、赤色を主体として点灯する。第１灯１１は、矩形の表示枠１５内に、立ち止まった人（停止者）のシルエットに対応するパターン状の表示領域１１ａと、表示領域１１ａを囲む暗い背景状の非表示領域１１ｂとを有する。表示領域１１ａは、表示枠１５内の中央の局所的な領域に形成されていると言える。表示領域１１ａは、互いに表示色が若干異なる主領域１１ｐと輪郭領域１１ｑとに分かれており、それぞれの領域１１ｐ，１１ｑは、後に詳述するが、有機ＥＬ素子等からなる多数の固体発光素子を２次元的に配列することによって形成されている。表示領域１１ａは、赤色及びその同系色で発光する点灯状態と黒に近い暗い消灯状態とに切り替えることができる。なお、非表示領域１１ｂには、固体発光素子を配置する代わりに光吸収体を配置しており、常に暗い消灯状態となっている。このため、表示領域１１ａが点灯状態のとき、非表示領域１１ｂは、赤色及びその同系色からなる表示領域１１ａを囲む黒っぽい背景領域となる。一方、表示領域１１ａが消灯状態のとき、表示領域１１ａ及び非表示領域１１ｂ、つまり矩形の表示枠１５内は、全体として黒っぽい領域となる。
【００１８】
第２灯１２は、進行許可信号であり、青色を主体として点灯する。第２灯１２は、矩形の表示枠１６内に、歩行する人（横断者）のシルエットに対応するパターン状の表示領域１２ａと、表示領域１２ａを囲む暗い背景状の非表示領域１２ｂとを有する。表示領域１２ａは、表示枠１６内の中央の局所的な領域に形成されていると言える。表示領域１２ａは、互いに表示色が若干異なる主領域１２ｐと輪郭領域１２ｑとに分かれており、それぞれの領域１２ｐ，１２ｑは、後に詳述するが、有機ＥＬ素子等からなる多数の固体発光素子を２次元的に配列することによって形成されている。表示領域１２ａは、青色及びその同系色で発光する点灯状態と黒に近い暗い消灯状態とに切り替えることができる。なお、非表示領域１２ｂには、固体発光素子を配置する代わりに光吸収体を配置しており、常に暗い消灯状態となっている。このため、表示領域１２ａが点灯状態のとき、非表示領域１２ｂは、青色及びその同系色からなる表示領域１２ａを囲む黒っぽい背景領域となる。一方、表示領域１２ａが消灯状態のとき、表示領域１２ａ及び非表示領域１２ｂ、つまり矩形の表示枠１６内は、全体として黒っぽい領域となる。
【００１９】
図２を参照して、図１の表示装置１０を組み込んだ信号制御システム１００について説明する。信号制御システム１００は、一般的な信号機であり、信号制御装置４０と、複数の歩行者用信号灯器２０と、複数の車両用信号灯器３０と、複数の音声報知器５０とを有する。ここで、信号制御装置４０は、制御回路４１と、駆動回路４２と、現示メモリー４３とを有する。これらのうち、制御回路４１は、全体の動作を統括し、駆動回路４２は、制御回路４１の指示に基づいて歩行者用信号灯器２０、車両用信号灯器３０等を駆動し、現示メモリー４３は、信号灯器２０，３０の表示の切り替え手順のほか、現在の灯色、表示の残り時間等の点灯状態に関する情報を保管する。
【００２０】
信号制御システム１００において、歩行者用信号灯器２０は、図１に示す表示装置１０に相当するものである。各歩行者用信号灯器２０又は表示装置１０には、２色の灯器部分（第１及び第２灯１１，１２）を個別かつ択一的に順次点灯する際に給電等を行う付属回路１０ｆが内蔵されている。なお、歩行者用信号灯器２０と信号制御装置４０とを組み合わせたものを歩行者用信号機とする。
一方、車両用信号灯器３０は、車両用に設けられた一般的なものであり、詳細な説明を省略するが３色の円形の灯器部分つまり赤色灯３１と青色灯３２と黄色灯３３とを備える。各車両用信号灯器３０には、３色の灯器部分３１，３２，３３を個別かつ択一的に順次点灯する際に給電等を行う付属回路３０ｆが内蔵されている。各色の灯器部分３１，３２，３３は、ＬＥＤ等からなる多数の固体発光素子を２次元的に配列したものである。なお、車両用信号灯器３０と信号制御装置４０とを組み合わせたものを車両用信号機とする。
音声報知器５０は、スピーカーや駆動回路を含む。音声報知器５０は、信号制御装置４０からの指示に基づいて、信号灯器２０，３０と同期して動作する。具体的には、例えば歩行者用信号灯器２０が進行不可信号を表示する状態となっているときに横断禁止の音声ガイダンスや警告音を出力し、歩行者用信号灯器２０が進行許可信号を表示する状態となっているときに横断許容の音声ガイダンスや誘導音を出力する。
【００２１】
図３（Ａ）を参照して、図１に示す表示装置（歩行者用信号灯器）１０の第１灯１１に設けたパターン状の表示領域１１ａについて説明する。ここで、図３（Ａ）は、表示領域１１ａ等の一部ＡＰを拡大した概念図である。表示領域１１ａのうち、主領域１１ｐでは、基本発光デバイス１７ａが全体を塗りつぶすように配置され、輪郭領域１１ｑでは、追加発光デバイス１７ｂが全体を塗りつぶすように配置されている。
基本発光デバイス１７ａは、主領域１１ｐ全体で一つの発光デバイスとすることができるが、主領域１１ｐを複数の部分領域に分割して各部分領域に発光デバイスを割り当てることもできる。つまり、主領域１１ｐを略一様に充填することができればよく、基本発光デバイス１７ａの分割数や配置密度については、状況に応じて適宜増減調整することができる。
追加発光デバイス１７ｂは、輪郭領域１１ｑ全体で一つの発光デバイスとすることができるが、輪郭領域１１ｑを複数の部分領域に分割して各部分領域に発光デバイスを割り当てることもできる。つまり、輪郭領域１１ｑを略一様に充填することができればよく、追加発光デバイス１７ｂの分割数や配置密度については、状況に応じて適宜増減調整することができる。
【００２２】
輪郭領域１１ｑは、切れ目のない帯状領域となっており、略一様な幅を有している。輪郭領域１１ｑは、主領域１１ｐが最も細くなる部分よりも細くなっている。つまり、輪郭領域１１ｑの幅Ｗ２は、主領域１１ｐが最も細くなる部分の幅Ｗ１よりも少なくなっている。これにより、主領域１１ｐの面積を十分に確保でき、主領域１１ｐの確認が困難になったり主領域１１ｐが細って全体としてのパターンの印象が大きく変形したりすることを防止できる。さらに、輪郭領域１１ｑの幅Ｗ２は、輪郭領域１１ｑのパターンを遠目に見ても確認できる程度のものであることが望ましい。
なお、基本発光デバイス１７ａを配置する主領域１１ｐと、追加発光デバイス１７ｂを配置する輪郭領域１１ｑとの面積比は、主領域１１ｐ及び輪郭領域１１ｑの輝度等に応じて適宜設定することができる。
【００２３】
基本発光デバイス１７ａは、第１種の有機ＥＬ素子であり、基本色である赤色の光を射出する。具体的には、基本発光デバイス１７ａは、波長６２０〜６５０ｎｍ又はそれ以上の長波長域で発光する（図４の分布Ａ１参照）。追加発光デバイス１７ｂは、第２種の有機ＥＬ素子であり、追加色である橙色の光を射出する。具体的には、追加発光デバイス１７ｂは、波長５８０〜６００ｎｍ又はその周辺の波長域で発光する（図４の分布Ａ２参照）。なお、橙色は、赤色の同系色であり、ＨＳＶ色空間で９０°以下の色相差となっている。
【００２４】
図５は、表示装置１０の主領域１１ｐを構成する基本発光デバイス１７ａの断面構造を説明する概念図である。基本発光デバイス１７ａは、樹脂製の基板８１上に有機ＥＬ層８２を一対の電極８３，８４で挟んだ構造を有する有機ＥＬ素子８０ａを発光素子として形成し、透明な樹脂製の保護層８５で覆ったものである。ここで、少なくとも表側の電極８４は、透明電極である。また、指向性、発散度等を考慮して、保護層８５に隣接してマイクロレンズアレイ、フレネルレンズ等の光線制御部８８を設けることもできる。
主領域１１ｐを構成する基本発光デバイス１７ａの発光色については、有機ＥＬ層８２に添加された蛍光材料その他の発光材料の選択によって調整することができる。なお、有機ＥＬ素子８０ａについては、不要な光をカットするためフィルターを付加することもできる。
【００２５】
輪郭領域１１ｑを構成する追加発光デバイス１７ｂの断面構造は、基本発光デバイス１７ａの断面構造と同様であるので説明を省略する。追加発光デバイス１７ｂの場合、有機ＥＬ層８２の成分が基本発光デバイス１７ａと異なっている。
【００２６】
以上のように、第１灯１１の表示領域１１ａでは、その点灯時に、内部の主領域１１ｐで波長６２０ｎｍを越える赤色発光型の基本発光デバイス１７ａが発光するとともに、外側の輪郭領域１１ｑで波長５８０〜６００ｎｍ周辺の橙色発光型の追加発光デバイス１７ｂが発光する。さらに、基本発光デバイス１７ａは、比較的占有面積が広い主領域１１ｐに配置されて発光し、追加発光デバイス１７ｂは、比較的占有面積が狭い輪郭領域１１ｑに配置されて発光する。このため、視覚健常者にとって、表示領域１１ａは、大半が赤色で周縁が橙色（同系色）に滲んだ領域であり、略赤色に着色された停止歩行者のシルエットパターンと認識される。以下では、視覚健常者の刺激感度を基準とする（図４の感度パターンＢ０参照）。ところで、Ｐ型強度と呼ばれる第１色覚特異者は、赤色を殆ど感じることができず（図４の感度パターンＢ１参照）、基本発光デバイス１７ａからの光を感じることができない。その一方で、追加発光デバイス１７ｂからの光については、発光領域の密度が低いが黄色又は緑色に属する光として発光を感じることができる。よって、Ｐ型強度の第１色覚特異者にとって、表示領域１１ａは、一定の幅を有する輪郭領域１１ｑで黄色等に着色された停止歩行者の輪郭パターンと認識される。さらに、Ｐ型弱度と呼ばれる第２色覚特異者は、赤色の感度が弱く（図４の感度パターンＢ２参照）、基本発光デバイス１７ａからの光に対して感度が低い。その一方で、追加発光デバイス１７ｂからの光については、黄色に属する光として発光を感じることができる。よって、Ｐ型弱度の第２色覚特異者にとって、表示領域１１ａは、一定の幅を有する輪郭領域１１ｑで黄色又は橙色等に着色された停止歩行者の輪郭パターンであると認識され、主領域１１ｐは、比較的暗い橙色等に着色されたシルエットパターンであると認識される。つまり、Ｐ型強度又はＰ型弱度の色覚特異者であっても、第１灯１１の表示領域１１ａにおけるパターンの有無を認識することができる。
【００２７】
以上は、第１灯１１の説明であったが、第２灯１２にも同様の工夫を施すことができる。具体的には、第２灯１２の表示領域１２ａにおいて、基本発光デバイス１７ａを配置する主領域１１ｐと、追加発光デバイス１７ｂを配置する輪郭領域１１ｑとを設ける。第２灯１２において、主領域１１ｐの基本発光デバイス１７ａは、青色の光を射出し、波長４００〜４５０ｎｍ辺りの短波長域で発光し、輪郭領域１１ｑの追加発光デバイス１７ｂは、波長４５０〜５００ｎｍ辺りの青寄りの長域で発光する。Ｔ型と呼ばれる第３色覚特異者は、青色を殆ど感じることができず、基本発光デバイス１７ａからの光を感じることができない。その一方で、追加発光デバイス１７ｂからの光については、発光領域の密度が低いが緑色に属する光として発光を感じることができる。よって、Ｔ型の第３色覚特異者にとって、表示領域１２ａは、緑色に着色された横断者の輪郭パターンと認識される。つまり、Ｔ型の色覚特異者であっても、第２灯１２の表示領域１２ａにおけるパターンの有無を認識することができる。
【００２８】
図３（Ｂ）は、図３（Ａ）に示す表示領域１１ａの変形例を示す。この場合も、表示領域１１ａにおいて、主領域１１ｐでは、基本発光デバイス１７ａが全体を埋めるように配置され、輪郭領域１１ｑでは、追加発光デバイス１７ｂが実質的に切れ目無く連続する帯状に配置されている。ただし、基本発光デバイス１７ａは、有機ＥＬ素子に代えて、波長６２０ｎｍを越える波長域で発光する赤色発光型の複数のＬＥＤ素子で構成されている。また、追加発光デバイス１７ｂも、波長５８０〜６００ｎｍ周辺の波長域で発光する橙色発光型の複数のＬＥＤ素子で構成されている。なお、図３（Ｂ）に示す発光デバイス１７ａ，１７ｂについては、ＬＥＤ素子に限らず、同様の配列の有機ＥＬ素子に置き換えることができる。
【００２９】
以上述べたように、本実施形態に係る表示装置１０によれば、色覚特異者に認識可能な追加発光デバイス１７ｂを所定のパターンの輪郭領域１１ｑに配置しているので、一般色覚者は、表示領域１１ａに表示された輪郭を含む所定のパターンを信号として認識することができる。また、一般色覚者は、所定のパターンの輪郭領域１１ｑを所定のパターンと等価又は実質的に同一の信号として認識することができる。
【００３０】
以上の実施形態で説明された構造、形状、大きさ及び配置関係については、本発明を理解・実施できる程度に概略的に示したものに過ぎない。従って本発明は、説明された実施形態に限定されるものではなく、特許請求の範囲に示される技術的思想の範囲を逸脱しない限り様々な形態に変更することができる。
【００３１】
パターン状の表示領域１１ａ，１２ａは、図形、標識等に限らず、文字、記号等とすることができる。
具体的には、例えば図６に示すように、信号制御システム１００に１つ以上の情報表示機６０を追加し、歩行者用信号灯器２０又は車両用信号灯器３０と連動させて動作させる。この際、情報表示機６０は、文字、記号等によって表現される交通関連情報を表示するため、有機ＥＬ素子等の発光素子からなるディスプレイ部分１１１と、ディスプレイ部分１１１に描画を行わせる駆動回路６０ｆとを備える。ディスプレイ部分１１１は、それ自体で変化するパターンである表示領域１１１ａにおいて、波長６２０ｎｍを越える赤色発光型の基本発光デバイスが画素として発光するとともに、波長５８０〜６００ｎｍ周辺の橙色発光型の追加発光デバイスが画素として発光する（図３（Ａ）参照）。表示領域１１１ａの外側の非表示領域１１１ｂにおいて、画素を構成する基本発光デバイス及び追加発光デバイスは消灯している。表示領域１１１ａは、文字、記号等に対応するものであり、表示すべき交通関連情報の変更に伴って変化する動的なものとできる。交通関連情報は、例えば信号機の進行許可又は進行不可の状態を説明するものとできるが、これに限らず、事故の発生、交通制限区間、渋滞状況、コマーシャル等を表示するものとすることもできる。
詳細な図示を省略するが、表示領域１１１ａのうち内側の主領域は、基本発光デバイスのみの点灯によって表示され、表示領域１１１ａのうち外側の輪郭領域は、追加発光デバイスのみの点灯によって表示される。つまり、視覚健常者は、表示領域１１１ａを輪郭で橙色に滲んだ赤色に着色された文字等のパターンと認識し、視覚特異者は、表示領域１１１ａを黄色等に着色された輪郭パターンと認識する。
【００３２】
以上の実施形態では、追加発光デバイス１７ｂに追加色として橙色の光を射出させているが、追加発光デバイス１７ｂに黄色の光（あるいは、２種の追加発光デバイス１７ｂに黄色又は橙色の２色の光）を射出させることもできる。
【００３３】
図１の例では、表示領域１１ａに１つパターンがあることが前提となっているが、表示領域１１ａに２つのパターンがあってもよく、この場合、各パターンに主領域と輪郭領域とが設けられる。
【００３４】
主領域１１ｐ又は輪郭領域１１ｑは、単一種類発光を行う固体発光素子だけで構成する必要はない。例えば主領域１１ｐにおいて、基本発光デバイス１７ａの隙間に少ない占有面積比で追加発光デバイス１７ｂを散在させることもできる。
【符号の説明】
【００３５】
１０…表示装置、  １０ｆ…付属回路、  １１，１２…灯器部分、  １１ａ，１２ａ…表示領域、  １１ｂ，１２ｂ…非表示領域、  １１ｐ…表示部、  １４…カバー、  １５，１６…表示枠、  １７ａ…基本発光デバイス、  １７ｂ…追加発光デバイス、  １７ｃ，１７ｄ…発光領域、  ２０…歩行者用信号灯器、  ３０…車両用信号灯器、  ３０ｆ…付属回路、  ３１，３２，３３…灯器部分、  ４０…信号制御装置、  ４１…制御回路、  ４２…駆動回路、  ４３…現示メモリー、  ５０…音声報知器、  ６０…情報表示機、  １００…信号制御システム、  １１１…ディスプレイ部分、  １１１ａ…表示領域、  １１１ｂ…非表示領域、  １１ｐ，１２ｐ…主領域、  １１ｑ，１２ｑ…輪郭領域
【図１】
0006400353.tif 000002
【図２】
0006400353.tif 000003
【図３】
0006400353.tif 000004
【図４】
0006400353.tif 000005
【図５】
0006400353.tif 000006
【図６】
0006400353.tif 000007